(57)【要約】      （修正有）【課題】手作業で行う少量の物品を、樹脂製の袋で包装する作業において、袋の開口を簡便にする手段を提供する。【解決手段】送風機と袋の固定器で構成した装置で、袋の表面を摘まみ、空気を吹きこませて、袋の開口（口あけ）作業を容易にし、製品の袋詰め作業の能率を上げる。【選択図】図１
2016041607.tif 000002
【特許請求の範囲】
【請求項１】
送風機と包装袋の固定器でなり、固定した樹脂袋の表面（片面）を指で、小さく摘まむだけで、空気を吹きこませることを可能にし、袋の開口の作業を簡便にする装置。
【請求項２】
樹脂製の包装袋の束を固定する器具で、袋の開口部分の２箇所を、バネで押圧する方法で固定する装置。
【発明の詳細な説明】
【０００１】樹脂製の袋は、生活用品や産業用品等の収納等に、広く且つ多様に利用されている。
【０００２】ポリ袋などで総称される樹脂製の包装袋は、歴史的には、内容物の保護や封緘を目的に始まったが、近時は透明性の高いフィルムが、低廉に供給されることになって、被包装物を美しく見せるという化粧効果も評価され、必ずしも密封を伴わない包装例もふえてきている。
【０００３】かくして樹脂製による包装は産業のあらゆる分野に亘り、厖大な量にのぼることになったが、被包装物からみると、単位当り大量包装物と少量の包装物に区分できる。
【０００４】この区分により、包装の方式が異る。即ち大量包装の場合は、機械化・自動化が可能である。
【０００５】他方、少量品の包装は、機械化・自動化は難しく人力に頼っている。
【０００６】少量の包装物の例を挙げれば、農産物がある。人参や茄子、ねぎ等も、ポリ袋で包装されるようになった。この包装作業は、個々の農家が行っている。一貫して手作業である。この作業は能率化のために、農家が集り組合で為されることもあるが、分業によって効率化をはかる程度に、とどまっている。
【背景技術】
【０００７】樹脂製による包装作業を要素別に分類すると、▲１▼被包装物の供給▲２▼包装袋の供給▲３▼包装袋の投入口の開口（口あけ）▲４▼被包装物の投入▲５▼包装袋の開口部の封緘という、５つの要素に大別できる。１単位当り大量の包装品については、一貫して機械化・自動化され、人手はメンテナンスを行う程度となっている。【０００８】この５つの要素の中に、一部を独立させた機器がある。これは、少量多種の包装物に対応するもので、代表的なものは、袋の封緘器（シーラー）である。樹脂袋の口を熱線で挟み、溶着させたり、開口部を紐で括る機器等で手作業を伴う。
【発明の概要】
【発明が解決しようとする課題】
【０００９】包装作業の要素の中、包装袋の投入口を開口する分野で、袋の口あけ作業を容易にし、能率を上げる簡易な装置が欲しい。【００１０】樹脂袋は、一定単位（普通１００枚）の枚数に束ねられて販売されている。袋の素材である樹脂袋のフィルムの厚みは、２０ミクロン前後と薄く、袋の束から１枚だけをとり出すのは容易ではなく、その上、とり出した１枚の袋の口を開くのも簡単ではない。つまり僅かながらも時間を費す。この樹脂袋の開口（口あけ）作業を能率化したい。
【発明が解決するための手段】
【００１１】請求項１．の発明は樹脂包装袋の開口（口あけ）装置で図１のように「送風機」と「包装袋の固定器」によって構成される。
【００１２】装置の特徴の第一は、これまでの機械化装置における開口方法が減圧空気を用い、吸引によっているのに対し、空気を吹きつける方法を採用していることである。
【００１３】請求項２．の発明は、包装袋開口装置の中、袋の固定器にバネを採用したことである。この固定器（図２）は、バネ式の板金（プレート）で、この先端に、２個の小型のバネ（図３−５）を装着している。固定する袋の束は、この先端のバネによって、装置の基盤ボード（図１−１）に押しつけられて、固定される。プレートの先端のバネを、小型化した理由は、固定器から袋を、とり外す操作を容易にするためである。
【００１４】本発明になる開口装置の操作の手順は、まず包装袋の束を固定器にセットする。
袋の開口部分をプレートのバネ（図１−３）に掴ませるだけである。
【００１５】送風機は包装作業中、連続して稼動させる。風は固定された袋の方向に、強く吹き出させる。
【００１６】袋の開口（口あけ）は、袋の表面の中央部辺り（図５−６）を図６のように、指で摘まむことで達成される。
【００１７】袋の片面（表面）の、フィルム１枚だけ摘まむことが容易となる理由の第一は、フィルムの性質にある。包装袋として利用する樹脂袋の大半は、ポリプロピレン樹脂製で、その特徴は、透明性に優れることと、程よい硬度（腰がある）を具えていることである。たとえば樹脂がポリエチレンであると、材質がやわらか（腰がない）で、袋の片面のみを摘まむのは難しい。
【００１８】袋の片面だけを摘まむことを容易にする第二の理由は、常時流れている空気の働きである。即ち、空気は袋の口の両端を図６−８のように僅かながら開かせ、空気が侵入して、袋の中に行きわたり、袋の表面を摘まむことを助ける。その上、袋の表面には常時、空気の速い流れがあり、この流体が袋の表面を持ち上げるように働く。この現象は、ベルヌーイの定理で説明される。
【００１９】袋の片面の摘まみ上げを容易にする第三の理由は、本発明になる固定器のプレートの先端に装着した２個のバネにある。バネは小型のため、袋の片面をとり外す場合、抵抗が小さい。
【００２０】包装作業としては、指で摘まむという、一手間をかけるだけで、図７のように、袋の口は開き、たやすく包装物品を投入することができる。
【発明の効果】
【００２１】自動化機械化の導入が難しい少量の物品の包装において、袋の開口（口あけ）作業を容易にし、能率を向上させることができる。
【００２２】包装袋の選択が楽になった。即ち市販の規格袋を利用でき、必要量を必要の都度購入することが可能となり、経済的である。
【図面の簡単な説明】
【００２３】
【図１】は、本発明になる装置の斜視図。
【図２】は、本発明になる装置の中、袋の固定器（パネル）。
【図３】は、固定器（パネル）の側面図。
【図４】は、固定器（パネル）の正面図
【図５】は、包装袋を固定（セット）した状態を示す平面図。
【図６】は、包装袋の上部を指で摘まんだ図。
【図７】は、開口した包装袋の状態を示す。
【発明を実施するための形態】
【００２４】包装袋の素材は、ポリプロピレン樹脂が望ましい。このフィルムは透明性が高く、適度の腰（硬度）があり、広く流通し、常時供給されている為である。特にポリプロピレン樹脂袋は、開口し易い性質が確認できた。
【００２５】本発明になる装置を利用できる包装袋のサイズは、極端に大きいものや極めて小さな袋を除けば、無難に対応できる。
【符号の説明】
【００２６】１‥‥‥装置の台座（ボード）を示す。
２‥‥‥送風機を示す。
３‥‥‥包装袋を固定する板金（プレート）
４‥‥‥包装袋の束を示す。
５‥‥‥バネを示す。
６‥‥‥包装袋表面の指で摘まむ箇所を示す。
７‥‥‥袋の表面を摘まむことによって生じる開口部を示す。
８‥‥‥袋両側に常時生じる開口部を示す。
【図１】
2016041607.tif 000003
2016041607.tif 000004
【図４】
2016041607.tif 000005
【図５】
2016041607.tif 000006
【図６】
2016041607.tif 000007
【図７】
2016041607.tif 000008
【手続補正書】
【提出日】平成26年10月9日(2014.10.9)
【手続補正１】
【補正対象書類名】図面
【補正対象項目名】全図
【補正方法】変更
【補正の内容】
【図１】
2016041607.tif 000009
【図２】
2016041607.tif 000010
【図３】
2016041607.tif 000011
【図４】
2016041607.tif 000012
【図５】
2016041607.tif 000013
【図６】
2016041607.tif 000014
【図７】
2016041607.tif 000015